(57)【特許請求の範囲】
【請求項１】
非接触式のＩＣカード（Ｃ）用のリードライト手段をケース（１）内に備えている携帯端末装置であって、
前記ケース（１）の前面にＩＣカード（Ｃ）に格納された情報を表示する表示手段（３）が設けられ、前記ケース（１）の外面にＩＣカード（Ｃ）を装填するためのカード装填部（４）が設けられており、
ＩＣカード（Ｃ）を前記カード装填部（４）に装着した装填状態において、ＩＣカード（Ｃ）の一部が前記ケース（１）の外面にはみ出して、はみ出し部分のカード面に表示された固有表示が視認可能となっており、
前記装填状態において、前記リードライト手段によって読み取られて前記表示手段（３）に表示されたＩＣカード（Ｃ）のカード情報と、前記はみ出し部分のカード面に表示された固有表示とを並列的に表示できることを特徴とするＩＣカード用の携帯端末装置。
【請求項２】
前記カード装填部（４）が、前記ケース（１）の表面に設けたカード保持体（５）と、前記カード保持体（５）と協同してＩＣカード（Ｃ）を挟持状に保持するカード受面（６）とで構成されており、
前記カード受面（６）の内部に、携帯端末装置側のアンテナ（１０）が配置してある請求項１に記載のＩＣカード用の携帯端末装置。
【請求項３】
前記ケース（１）の前面に前記表示手段（３）が設けられ、前記ケース（１）の後面および上面のいずれかに前記カード装填部（４）が設けられており、
前記カード装填部（４）には、カード受面（６）に沿って突設されて、ＩＣカード（Ｃ）をカード受面（６）と協同して弾性的に挟持する前記カード保持体（５）が設けられており、
前記カード装填部（４）に対するＩＣカード（Ｃ）の装填姿勢を、
ＩＣカード（Ｃ）の表裏のいずれか一方が前記ケース（１）の前面側に表示される状態と、
ＩＣカード（Ｃ）の一部が前記ケース（１）の左右いずれか一方にはみ出す状態と、
ＩＣカード（Ｃ）の一部が前記ケース（１）の上部にはみ出す状態との、
少なくともいずれかひとつに選定できる請求項２に記載のＩＣカード用の携帯端末装置。
【請求項４】
ＩＣカード（Ｃ）のカード本体（１３）の各辺部に沿って四角形状のアンテナ（１５）が配置されており、
前記カード受面（６）の内部に設けたアンテナ（１０）が四角形状に配置されており、
前記携帯端末装置側のアンテナ（１０）の上下方向のアンテナ幅（Ｈ１）が、ＩＣカード（Ｃ）側のアンテナ（１５）の短辺部側のアンテナ幅（Ｈ２）より大きく設定してある請求項２または３に記載のＩＣカード用の携帯端末装置。
【請求項５】
前記カード装填部（４）に複数個の前記カード保持体（５）が設けられており、
複数の前記カード保持体（５）の遊端どうしが、ＩＣカード（Ｃ）を装填案内するガイド片（３４）で橋絡されており、
前記カード保持体（５）、およびガイド片（３４）のそれぞれが透明なプラスチック材で形成してある請求項２、３または４に記載のＩＣカード用の携帯端末装置。
【請求項６】
ＩＣカード（Ｃ）が前記カード装填部（４）から取り外されたことをリードライト手段が認識したのち、所定時間が経過するまでの間に、
リードライト手段を介して取り込んだＩＣカード（Ｃ）の個人データを自動的に消去することができる請求項１から５のいずれかひとつに記載のＩＣカード用の携帯端末装置。
【請求項７】
前記はみ出し部分のカード面に表示された固有表示が顔写真（１６）を含み、
前記リードライト手段によって読み取られて前記表示手段（３）に表示されたＩＣカード（Ｃ）のカード情報が前記顔写真（１６）の画像である請求項１から６のいずれかひとつに記載のＩＣカード用の携帯端末装置。
【請求項８】
前記ケース（１）の後面に設けたカード装填部（４）が、ＩＣカード（Ｃ）を差し込み装填できるスロット（１８）で構成されており、
前記スロット（１８）の左右両側と上側との少なくとも一側に、差し込み口（１９）が開口されており、
スロット（１８）に面するケース（１）内に、アンテナ（１０）が配置してある請求項１に記載のＩＣカード用の携帯端末装置。
【発明の詳細な説明】
【技術分野】
【０００１】
本発明は、ＩＣカードの真贋を判定するための携帯端末装置に関する。
【背景技術】
【０００２】
本発明のＩＣカード用の携帯端末装置に関して、ＩＣチップのデータをリーダライタで読み込み、あるいはＩＣカードの表面に印刷された文字情報や顔写真などの固有情報をスキャナーなどで読み込んで、ＣＲＴやＬＣＤなどの表示装置で表示することは、例えば特許文献１に公知である。そこでは、制御部、リーダライタ、表示部、印刷部、スキャナー、記憶部、入力部、およびＲＡＭなどでＩＣカード表示装置を構成している。この表示装置によれば、カードの固有情報を表示装置で表示できる。さらに、キー入力された暗証番号、生年月日などのデータと、ＩＣチップに記録されたデータの比較を行なってＩＣカードの真贋判定を行ない、その結果を表示装置で同時に表示できる。
【０００３】
例えば、ＩＣカード免許証では、カードの表面にカード所有者の住所、氏名、年齢、免許証番号などの文字情報が印刷され、さらに顔写真が貼り付けられている。また、カード内のＩＣチップには文字情報と写真データに加えて、本籍地や暗証番号などの個人情報が格納されている。これらの格納データは改ざんするのが困難であり、従来の免許証に比べて偽造が極めて困難である。この種の免許証は、リーダライタの装填部に載置することで、ＩＣチップに格納された固有情報データをディスプレイで表示して、カード表面に印刷された文字情報および顔写真などの固有情報との照合を行なうことができる。したがって写真を貼り換え、あるいは個人情報が書き換えられた偽変造カードを明確に識別して、その不正使用を防止することができる。
【先行技術文献】
【特許文献】
【０００４】
【特許文献１】特開２００３−２４２４５５号公報（段落番号００３１、図６、図９）
【発明の概要】
【発明が解決しようとする課題】
【０００５】
特許文献１のＩＣカード表示装置は、カードの文字情報や顔写真などの固有情報を表示装置で表示し、さらに、ＩＣカードの真贋判定をも同時に行なうことができる。しかし、ＩＣカード表示装置を制御部、リーダライタ、表示部、印刷部、スキャナー、記憶部、入力部、およびＲＡＭなどで構成するので、全体構造が複雑で大掛かりになるのを避けられず、携帯用の装置として使用することはできない。
【０００６】
上記のＩＣカード表示装置を小形化することは不可能ではないが、データ入力用のキー群と、ＩＣカード用の装填部と、ディスプレイとを、ケースの前面に隣接する状態で配置するので、リーダライタの全体を小形するのに限界があり、携帯して使用するのに嵩張る不利がある。
【０００７】
本発明の目的は、端末装置の全体を小形化して、携帯して使用するのに好適なＩＣカード用の携帯端末装置を提供することにある。本発明の目的は、ＩＣカードの表面に表示された文字情報や写真などの固有表示と、ＩＣチップに格納したデータとの照合を的確にしかも簡便に行なって、ＩＣカードＣの真贋判定を的確に行なうことができるＩＣカード用の携帯端末装置を提供することにある。
【課題を解決するための手段】
【０００８】
本発明に係るＩＣカード用の携帯端末装置は、非接触式のＩＣカードＣ用のリードライト手段をケース１内に備えている。図２に示すように、ケース１の前面にＩＣカードＣに格納された情報を表示する表示手段３を設ける。さらに、ケース１の外面にＩＣカードＣを装填するためのカード装填部４を設ける。ＩＣカードＣをカード装填部４に装着した装填状態において、図１に示すようにＩＣカードＣの一部がケース１の外面にはみ出して、はみ出し部分のカード面に表示された固有表示が視認可能となる。装填状態において、リードライト手段によって読み取られて前記表示手段３に表示したＩＣカードＣのカード情報と、はみ出し部分のカード面に表示された固有表示とを並列的に表示できることを特徴とする。
【０００９】
図３に示すように、カード装填部４は、ケース１の表面に設けたカード保持体５と、カード保持体５と協同してＩＣカードＣを挟持状に保持するカード受面６とで構成する。カード受面６の内部に携帯端末装置側のアンテナ１０を配置する。
【００１０】
ケース１の前面に前記表示手段３を設け、ケース１の後面および上面のいずれかにカード装填部４を設ける。カード装填部４には、カード受面６に沿って突設されて、ＩＣカードＣをカード受面６と協同して弾性的に挟持するカード保持体５を設ける。カード装填部４に対するＩＣカードＣの装填姿勢を、次のいずれかに選定する。ＩＣカードＣの表裏のいずれか一方がケース１の前面側に表示される状態。ＩＣカードＣの一部がケース１の左右いずれか一方にはみ出す状態（図４参照）。ＩＣカードＣの一部がケース１の上部にはみ出す状態（図８参照）。
【００１１】
カード本体１３の各辺部に沿って四角形状のアンテナ１５を配置する。カード受面６の内部に設けたアンテナ１０を四角形状に配置する。図２に示すように、携帯端末装置側のアンテナ１０の上下方向のアンテナ幅Ｈ１を、ＩＣカードＣ側のアンテナ１５の短辺部側のアンテナ幅Ｈ２より大きく設定する。
【００１２】
カード装填部４に複数個のカード保持体５を設ける。図１０に示すように、複数のカード保持体５の遊端どうしを、ＩＣカードＣを装填案内するガイド片３４で橋絡する。カード保持体５、およびガイド片３４のそれぞれを透明なプラスチック材で形成する。
【００１３】
ＩＣカードＣがカード装填部４から取り外されたことをリードライト手段が認識したのち、所定時間が経過するまでの間に、リードライト手段を介して取り込んだＩＣカードＣの個人データを自動的に消去する。
【００１４】
はみ出し部分のカード面に表示された固有表示は顔写真１６を含む。リードライト手段で読み取られて表示手段３に表示されたＩＣカードＣのカード情報が、顔写真１６の画像である。
【００１５】
ケース１の後面に設けたカード装填部４は、図１４に示すようにＩＣカードＣを差し込み装填できるスロット１８で構成する。スロット１８の左右両側と上側との少なくとも一側に、差し込み口１９を開口する。スロット１８に面するケース１内に、アンテナ１０を配置する。
【発明の効果】
【００１６】
本発明の携帯端末装置によれば、ケース１の前面にカード情報を表示する表示手段３を設け、ケース１の後面にカード装填部４を設けるようにした。このように、ケース１の後面側にカード装填部４を設けると、ケース１の前面に、表示手段３とカード装填部４とを隣接して設ける場合に比べて、ケース１の上下寸法を短くでき、その分だけ携帯端末装置を小形化しコンパクト化できる。また、従来のこの種の装置に比べてコンパクト化された携帯端末装置は、軽量で嵩張ることもなく簡便に携行できる。
【００１７】
ＩＣカードＣをカード装填部４に装填した状態において、ＩＣカードＣの一部をケース１の外面にはみ出させ、表示手段３に表示されたカード情報の画像と、はみ出し部分のカード面の固有表示とを並列的に表示するので、画像と固有表示の照合を簡便に行なえる。詳しくは、並列する画像と固有表示を一見するだけで、両者が一致するか否かを確認して、ＩＣカードＣの真贋判定を的確にしかも簡便に行なうことができる。これにより、カード所有者の本人確認を的確に行なって、他人によるＩＣカードの不正使用を確実に防止できる。照合すべき事項が多岐にわたる場合であっても、ＩＣカードＣの真贋判定を短時間で能率よく行なえる。
【００１８】
ケース１の表面に設けたカード保持体５と、カード受面６とでカード装填部４を構成すると、ケース１にカード保持体５を付加するだけで、ＩＣカードＣをカード保持体５とカード受面６とで挟持状に保持できる。したがって、カード保持構造を簡素化して、携帯端末装置製造コストを削減でき、携帯端末装置を小形化することにも役立つ。また、ケース１の表面をカード受面６として利用する場合には、カード装填部４に装填したＩＣカードＣを確りと安定した状態で保持できるので、携帯端末装置を取り扱う際に、ＩＣカードＣがカード装填部４から脱落するのをよく防止できる。カード受面６の内部にアンテナ１０を配置すると、ＩＣカードＣをカード装填部４に装填するだけで、先のアンテナ１０とＩＣカードＣ側のアンテナ１５との位置を合致できるので、両者間の通信を安定した状態で行なえる。
【００１９】
ケース１の後面および上面のいずれかにカード装填部４を設ける、携帯端末装置においては、カード装填部４に対するＩＣカードＣの装填姿勢を、少なくとも次のいずれかひとつに選定できる。ＩＣカードＣの表裏のいずれか一方がケース１の前面側に表示される状態と、ＩＣカードＣの一部がケース１の左右いずれか一方にはみ出す状態と、ＩＣカードＣの一部がケース１の上部にはみ出す状態である。したがって、ＩＣカードＣのカード表面における固有表示のレイアウトの違いや、カード装填部４に装填されたＩＣカードＣの装填姿勢が縦横に異なる場合であっても、カード装填部４の構造の一部を変更するだけで、先の状況の違いに支障なく対応できる。
【００２０】
携帯端末装置側のアンテナ１０の上下方向のアンテナ幅Ｈ１を、ＩＣカードＣ側のアンテナ１５の短辺部側のアンテナ幅Ｈ２より大きく設定すると、カード装填部４に対するＩＣカードＣの装填姿勢を縦横に変更することにより、より確実に通信を確立できる。例えば、ＩＣカードＣ側のアンテナ１５の配置パターンや共振周波数によっては、ＩＣカードＣをカード装填部４に横長姿勢で装填した場合（図７参照）に通信を確立できないことがある。その場合には、図８に示すように、ＩＣカードＣをカード装填部４に縦長姿勢で装填することにより、両アンテナ１０・１５が重合する領域を大きくして、横向きにした場合より起電力を大きくできる。因みに、ＩＣカードＣ側のアンテナ１５の配置パターンによっては、ＩＣカードＣをカード装填部４に縦長姿勢で装填した場合に通信を確立できないことがある。その場合には、ＩＣカードＣをカード装填部４に横長姿勢で装填する。
【００２１】
複数のカード保持体５の遊端どうしをガイド片３４で橋絡し、カード保持体５およびガイド片３４のそれぞれを透明なプラスチック材で形成すると、ＩＣカードＣの表面の個人情報を、カード保持爪５とガイド片３４を通して視認できる。例えばＩＣカードＣをカード装填部４に対して、その表面が後ろ向きになる状態で装填する場合に、ＩＣカードＣの装填位置をずらす必要もなく、ＩＣカードＣの表面の個人情報をカード保持爪５とガイド片３４を通して視認して、表示手段３の画像と照合できる。したがって、ＩＣカードＣの真贋判定の手間を省くことができる。
【００２２】
ＩＣカードＣをカード装填部４から取り外したのち、所定時間が経過するまでの間に、取り込んだＩＣカードＣの個人データを自動的に消去すると、個人情報を保護し、携帯端末装置の使用者によって個人情報が悪用されるのを防止できる。さらに、読み込んだ個人データを自動的に消去する機能が携帯端末装置に備えてあることを、予め公開して周知化しておくことにより、カード所有者の懸念を払拭して、携帯端末装置によるデータの読み取りに、安心して協力してもらうことができる。
【００２３】
ＩＣカードＣの顔写真１６と、表示手段３に表示された顔写真１６の画像とを並列的に表示する携帯端末装置によれば、液晶表示部３に表示された画像と顔写真１６とを照合することで、カード所有者の本人確認を的確かつ迅速に行なえる。したがって、第三者によるＩＣカードＣの変造ないしは偽造を防止して、ＩＣカードＣの不正使用を確実に防止できる。
【００２４】
カード装填部４を、スロット１８と、その差し込み口１９で構成し、ＩＣカードＣをスロット１８に対して抜き差しできるようにすると、先に説明した携帯端末装置と同様に、装置全体を小形化しコンパクト化できる。さらに携行時に嵩張ることもない。また、ＩＣカードＣをスロット１８内に装填してより安定した状態で保持できるので、携帯端末装置を取り扱う際に、ＩＣカードＣがカード装填部４から脱落するのをさらに確実に防止できる。
【図面の簡単な説明】
【００２５】
【図１】実施例１に係る携帯端末装置の使用例を示す要部の正面図である。
【図２】ＩＣカードを分離した状態の携帯端末装置の正面図である。
【図３】カード装填部を示す背面図である。
【図４】ＩＣカードの使用形態を示す正面図である。
【図５】ＩＣカードの別の使用形態を示す正面図である。
【図６】充電状態の携帯端末装置を示す正面図である。
【図７】携帯端末装置によるＩＣカードの照合形態を示す正面図である。
【図８】携帯端末装置によるＩＣカードの別の照合形態を示す正面図である。
【図９】携帯端末装置の別の使用形態を示す背面図である。
【図１０】実施例１に係る携帯端末装置の変形例を示す背面図である。
【図１１】実施例２に係る携帯端末装置の側面図である。
【図１２】実施例２に係る携帯端末装置の正面図である。
【図１３】実施例３に係る携帯端末装置の要部の正面図である。
【図１４】ＩＣカードを分離した状態の携帯端末装置の正面図である。
【図１５】カード装填部とその差し込み口を示す側面図である。
【図１６】実施例４に係る携帯端末装置の要部の正面図である。
【図１７】実施例４に係る携帯端末装置の要部の側面図である。
【図１８】実施例５に係る携帯端末装置の要部の正面図である。
【図１９】実施例５に係る携帯端末装置の使用例を示す正面図である。
【図２０】実施例６に係る携帯端末装置の要部の正面図である。
【図２１】実施例６に係る携帯端末装置の使用例を示す正面図である。
【図２２】実施例７に係る携帯端末装置の使用例を示す正面図である。
【図２３】実施例８に係る携帯端末装置の使用例を示す正面図である。
【図２４】実施例９に係る携帯端末装置の使用例を示す側面図である。
【図２５】実施例１０に係る携帯端末装置の使用例を示す側面図である。
【図２６】実施例１１に係る携帯端末装置の使用例を示す正面図である。
【発明を実施するための形態】
【００２６】
（実施例１）  図１ないし図８は本発明に係るＩＣカード用の携帯端末装置の実施例１を示す。図２において携帯端末装置は、上下に長い長方形状のケース１と、ケース１の前面の下半部に配置される一群のキー群２と、ケース１の前面の上半部に配置される液晶表示部（表示手段）３と、ケース１の後面の上部に設けられるカード装填部４などで構成してある。図示していないが、ケース１の内部には、非接触式のＩＣカードＣのデータを読み書きするリードライト手段が設けてある。キー群２は、数字および文字などのデータを入力するためのメインキー群２ａと、ファンクションキー群２ｂと、制御キー群２ｃなどで構成する。なお、本発明における上下・左右・前後とは、図２に示す交差矢印と、矢印の近傍の上下・左右・前後の各表示に従うものとする。
【００２７】
図３に示すように、カード装填部４は、ケース１の後面に設けた左右一対のカード保持爪（カード保持体）５と、カード保持爪５と協同してＩＣカードＣを挟持状に保持するカード受面６とで構成する。カード保持爪５は、弾性変形可能なＬ字状のプラスチック成形品からなり、その基端部がカード受面６の下端の左右両側に配置されて、カード受面６に沿って上向きに突設してある。カード保持爪５の遊端には、カード受面６に外接するガイド部７がく字状に折り曲げてある。カード受面６はケース１の後面壁からなる。
【００２８】
左右のカード保持爪５の弾性に抗しながら、ＩＣカードＣをガイド部７の側から差し込み装填することにより、ＩＣカードＣをカード保持爪５とカード受面６とで弾性的に挟持して装填状態を維持できる。カード受面６の内部には、ＩＣカードＣとの通信を確立するための携帯端末装置側のアンテナ１０が配置してある。アンテナ１０の外形はＩＣカードＣのアンテナ１５との関係で設定するが、その詳細は後述する。
【００２９】
図２に示すようにＩＣカードＣは、左右横長の長方形状のカード本体１３と、カード本体１３の内部に埋設されるＩＣモジュール１４、およびアンテナ１５などで非接触式のＩＣカードとして構成してある。ＩＣモジュール１４は、ＣＰＵとデータ格納用のメモリーを含んで構成してある。アンテナ１５は、カード本体１３の各辺部に沿って長方形状に配置してある。
【００３０】
この実施例は、ＩＣカードＣがＩＣカード免許証である場合を示しており、カード本体１３の長辺部の長さは８６ｍｍ、短辺部の長さは５３ｍｍである。カード本体１３の表面には、カード所有者の住所、氏名、生年月日、免許番号、免許条件などの文字情報が印刷され、さらに所有者本人の顔写真１６が貼り付けられて、その外面がラミネート層で覆ってある。カード本体１３の右半分の領域のうち、右側の短辺部に近い側に顔写真１６を配置し、残る領域に文字情報が表示してある。本発明で言う固有表示とは、文字情報および顔写真１６などのカード表面に設けられた個人情報の全てを含む概念である。先のメモリーチップには、文字情報や顔写真１６のデータ、および、カード表面に表示されていない個人データなどが記録してある。カード本体１３は、プラスチックシート、フィルム、または絶縁性の紙などを積層して形成してあり、あるいはプラスチック成形によって形成してある。
【００３１】
携帯端末装置を使用するときは、電源スイッチをオン状態に切り換えたのち、図３に示すようにＩＣカードＣをカード装填部４に装填する。このときのＩＣカードＣは、例えばカードの一部がケース１の右方からはみ出して、その表面がケース１の前面側に表示される状態（図１の状態）で装填する。この装填形態以外に、カードの一部がケース１の左方からはみ出る状態（図５の状態）や、ＩＣカードＣの一部がケース１の上部にはみ出る状態（図８の状態）で装填できる。さらに、図示していないが、ＩＣカードＣの裏面がケース１の前面側に表示される状態で装填することもできる。
【００３２】
次に、起動ボタンをオンすると、認証プログラムが起動し、携帯端末装置側のアンテナ１０と、ＩＣカードＣ側のアンテナ１５との間でデータの送受を行なって、装填されたＩＣカードＣがＩＣカード免許証であることを認識したのち、暗証番号の入力画面が表示される。入力された暗証番号が適正であれば、例えば図１に示すように、ＩＣモジュール１４のメモリーに記録されている写真データの画像を、液晶表示部３に拡大して表示する。
【００３３】
顔写真１６がケース１の右側面からはみ出るようにＩＣカードＣをカード装填部４に装填しておけば、ＩＣカードＣの写真データ（カード情報）の画像と、カード面に表示された顔写真１６（固有表示）とを左右並列に表示して、ＩＣカードＣの真贋を判定できる。また、表示モードを切り換えることにより、図４に示すように、ＩＣモジュール１４のメモリーに記録されている個人データを液晶表示部３に拡大した状態で表示できる。さらに図５に示すように、文字情報を表示してある左半部がケース１の左側面からはみ出すように、ＩＣカードＣをカード装填部４に沿ってスライド操作することにより、左右並列に表示されたＩＣカードＣの文字情報（固有表示）と個人データ（カード情報）とを照合することができる。図４および図５に示す個人データの表示は、次ページボタンを押すことにより切り換えることができる。
【００３４】
因みに、ＩＣカード免許証のＩＣモジュール１４のメモリーには、個人データ以外に、ＩＣモジュール１４内のデータと公安委員会の暗号鍵（秘密鍵）とで生成したチェックコードが記録されている。ＩＣモジュール１４内のデータをリーダライト手段で読込み、先の暗号鍵に対応した暗号公開鍵を用いて、チェックコードを検証することにより、ＩＣモジュール１４に記録されているデータが改ざんされているか否かを検証できる。
【００３５】
上記の検証結果は、画像とともに液晶表示部３の下部に、例えば「チェックコードＯＫ」あるいは「チェックコードＮＧ」と表示される。したがって、たとえ液晶表示部３に表示された画像と、顔写真１６とが一致したとしても、「チェックコードＮＧ」が表示された場合には、ＩＣカード免許証が改ざんされ、あるいは偽造されていることを判定できる。また、真正なＩＣカード免許証の顔写真１６が、悪意のある第三者の写真と入れ換えてある場合には、液晶表示部３に表示された画像と、顔写真１６とが一致しないので、変造ないしは偽造したＩＣカード免許証であることがわかる。
【００３６】
以上のように構成した携帯端末装置は、金融機関の窓口や携帯電話の契約窓口などで、個人の認証を行なうことができる。あるいは、例えばレンタカー会社や自動車保険会社で契約手続きを行なう場合などに利用することができる。図５に示すようにＩＣカード免許証には、免許更新時点で、過去５年以内に減点対象となる交通違反がない優良運転者に対して「優良」の表示が付加されている。この優良表示を確認することにより、優良運転者に対して、通常より好条件のサービスを提供し、あるいは同じ条件のサービスであれば、サービスの対価を値引きするなどの付加サービスを提供できる。
【００３７】
ＩＣカード免許証には、多くの個人情報が記録されており、携帯端末装置で読み込んだ個人情報が悪用されるおそれがある。例えば、携帯端末装置で読み込んだ個人情報をデータベース化して、名簿業者に転売されるおそれがある。また、データベース化された個人情報が、インターネット上に流出するおそれがある。さらに、悪用を恐れたＩＣカード免許証の所有者が、携帯端末装置によるデータの読み取りを拒否する状況が想定される。
【００３８】
このような状況を避けるために、ＩＣカードＣをカード装填部４から取り外したのち、所定時間が経過するまでの間に、リードライト手段を介して取り込んだＩＣカードＣの個人データを自動的に消去することができる。例えばリードライト手段は、ＩＣカードＣと携帯端末装置との通信が途絶したことで、ＩＣカードＣがカード装填部４から取り外されたことを認識できる。この時点から、例えば１５秒が経過するまでの間に、リードライト手段を介して取り込んだ全ての個人情報を消去する。あるいは、ＩＣカードＣがカード装填部４から取り外されるのと同時に、リードライト手段を介して取り込んだ全ての個人情報を消去する。
【００３９】
携帯端末装置は、図６に示す充電スタンドに装填した状態で、ケース１に内蔵した２次電池を充電することができる。また、充電スタンド３０に装填した状態で、ＩＣカードＣをカード装填部４に装填することにより、ＩＣモジュール１４内のデータをリーダライト手段で読み込むことができる。さらに、読み込んだデータを充電スタンド３０に接続したプリンター３２に転送して、必要な個人情報をプリントすることができる。例えば、ＩＣカード免許証をコピー機でコピーしたのと同様に、顔写真１６を含む個人情報をプリアウトして、本人確認の証明書類として使用することができる。
【００４０】
以上のように構成したＩＣカード用の携帯端末装置によれば、液晶表示部３の裏側にカード装填部４を配置するので、ケース１の上下寸法を短くして、その分だけ携帯端末装置を小形化しコンパクト化できる。また、携帯端末装置をコンパクト化することにより、嵩張ることもなく携帯端末装置を簡便に携行できることとなる。さらに、液晶表示部３に表示された画像やデータと、はみ出し部分のカード面に表示された顔写真１６や読み込んだデータとを並列的に表示するので、両者を一見するだけで、ＩＣカードＣの真贋判定を的確にしかも簡便に行なうことができる。これにより、カード所有者の本人確認を的確に行なって、他人によるＩＣカードの不正使用を確実に防止できることとなる。
【００４１】
ＩＣカードＣは、ＩＣカード免許証以外に社員証ＩＣカードや、学生証ＩＣカード、住民基本台帳カードなどとしても使用することができる。その場合には、ＩＣカードＣの用途によって、顔写真１６の配置形態が、図７や図８に示すように異なることが想定される。図７では、カード装填部４にカード本体１３を横長姿勢で装填する場合に、右側の短辺部に近い側に顔写真１６を縦姿勢で配置している。また、図８では、カード装填部４にカード本体１３を縦長姿勢で装填する場合に、上側の短辺部に近い側に顔写真１６を縦姿勢で配置している。いずれの使用形態においても、必要に応じて、ＩＣモジュール１４のメモリーに記録されている写真データを液晶表示部３に拡大した状態で表示して、表示された画像と、カードに貼り付けられた顔写真１６とを左右並列に表示し、あるいは上下並列に表示してＩＣカードＣの真贋を判定できる。
【００４２】
例えば、ひとつのビルに複数の企業や組織が入居している場合には、各企業や各組織ごとに、前述のように顔写真１６の配置形態が縦横に異なる場合があるが、こうした場合のビルへの出入りの管理を携帯端末装置で行なうことができる。携帯端末装置によるＩＣカードＣの真贋判定は、例えば警備会社の社員が行なう。
【００４３】
上記のように、ＩＣカードＣを横長姿勢でカード装填部４に装填する場合と、ＩＣカードＣを縦長姿勢でカード装填部４に装填する場合とで、カード本体１３に配置したアンテナ１５と、カード受面６に設けたアンテナ１０との対向形態が異なる。この違いは、携帯端末装置とＩＣカードＣとの間の通信状態を左右することがあり、最悪の場合には、ＩＣカードＣのデータを読み込むことができなくなる。
【００４４】
一般的に、ＩＣカードＣ側のアンテナ１５は、図２に示すように、カード本体１３の外郭線内に収まる範囲内でできるだけ大きく形成する。また、携帯端末装置側のアンテナ１０は、ＩＣカードＣ側のアンテナ１５と同等、ないしアンテナ１５より大きく形成することが多い。これは、携帯端末装置側のアンテナ１０から電波を放射するとき、電磁誘導作用による磁束をＩＣカードＣ側のアンテナ１５に十分に作用させて、ＩＣモジュール１４における起電力を大きくするためである。しかし、上記のように、顔写真１６をケース１の側面からはみ出させて、ＩＣカードＣの写真データの画像と、カード面に表示された顔写真１６とを左右並列に表示する場合には、両アンテナ１０・１５どうしを、ほぼ重なるように対向させることができない。そのため、消費電力が大きなＩＣチップを実装したＩＣカードや、ＩＣカードのアンテナの共振周波数が携帯端末装置側のアンテナ１０の共振周波数とずれているような場合には、ＩＣカードの起電力を生起させることができないことがある。
【００４５】
上記のような不具合を解消するために、携帯端末装置側のアンテナ１０の形状を、ＩＣカードＣ側のアンテナ１５との関係で設定した。具体的には図２に示すように、携帯端末装置側のアンテナ１０の上下方向のアンテナ幅Ｈ１を、ＩＣカードＣ側のアンテナ１５の短辺部側のアンテナ幅Ｈ２より大きく設定するようにした。こうした携帯端末装置によれば、ＩＣカードＣのカード装填部４に対する装填姿勢を縦横に変更することで通信を確立できる。例えば、図７に示すように、ＩＣカードＣをカード装填部４に横長姿勢で装填した場合に通信を確立できないことがある。その場合には、図８に示すように、ＩＣカードＣをカード装填部４に縦長姿勢で装填することにより、ＩＣカードＣ側のアンテナ１５に十分な磁束を作用させて、ＩＣモジュール１４における起電力を大きくして通信を確立できる。これは、携帯端末装置側のアンテナ１０の上下方向のアンテナ幅Ｈ１が、ＩＣカードＣ側のアンテナ１５の短辺部側のアンテナ幅Ｈ２より大きいと、ＩＣカードＣを縦向きにした場合の両アンテナ１０・１５が重合する領域を大きくでき、横向きにした場合より起電力を大きくできるからである。
【００４６】
図９は携帯端末装置の別の使用形態を示す。そこでは、横長姿勢にしたＩＣカードＣをカード装填部４に対して、その表面がケース１の後面側に表示される状態で装填した。この場合には、ＩＣカードＣを左右にずらす必要もなく、ＩＣカードＣの表面に表示された個人情報の殆どを見ることができる。また、携帯端末装置を表裏に反転することにより、液晶表示部３に表示された個人データの画像と、ＩＣカードＣの表面に表示された個人情報とを見比べることができる。この使用形態においては、カード保持爪５を細くすることにより、ＩＣカードＣの表面の個人情報がカード保持爪５で隠されるのを極力避けることができる。カード保持爪５は、線径が２ｍｍ以下の金属線材、より好ましくは線径が１ｍｍ以下の金属線材で形成することができる。このように、線径が小さな金属線材でカード保持爪５を構成すると、カード保持爪５によってＩＣカードＣの表面の表示が覆われるのを防止できる。なお、金属線材を素材にして左右のカード保持爪５を一筆書き状に連続させると、左右のカード保持爪５がループ状になって電磁波を吸収するおそれがある。これを避ける必要上、左右のカード保持爪５は独立した爪体として形成することが好ましい。
【００４７】
図１０は、実施例１に係る携帯端末装置の変形例を示す。そこでは、カード装填部４に左右一対のカード保持爪５を設け、左右のカード保持爪５の遊端どうしをガイド片３４で橋絡した。カード保持爪５とガイド片３４とは、透明なプラスチック材を素材にして一体に成形してある。ガイド片３４は、断面がく字状に折れ曲がっており、カード受面６と協同してＩＣカードＣを装填案内できる。ＩＣカードＣをカード装填部４に対して、その表面がケース１の後面側に表示される状態で装填する場合には、ＩＣカードＣの表面の個人情報を、カード保持爪５とガイド片３４を通して視認できるので、ＩＣカードＣの装填位置をずらす手間を省くことができる。例えば、ガイド片３４で覆われた「優良」の表示を、装填姿勢を変更する必要もなく確認できる。
【００４８】
（実施例２）  図１１および図１２は本発明に係るＩＣカード用の携帯端末装置の実施例２を示す。そこでは、ケース１の上端部にＩＣカードＣを装填するためのカード装填部４を設けた。カード装填部４は、ケース１の上端部の後縁中央に設けたカード保持爪（カード保持体）５と、カード保持爪５と協同してＩＣカードＣを挟持状に保持するカード受面６とで構成する。カード受面６はケース１の上端面壁からなり、その内面にアンテナ１０が配置してある。
【００４９】
ケース１の上部は、カード受面６の面積を大きくするために後面側へ膨出するが、この膨出部は、バックアップ用のコイン型リチウム電池の収容部として利用することができる。また、膨出部の後面に配置した電池蓋を着脱することにより、リチウム電池の交換を行なうことができる。携帯端末装置を使用するときは、電源スイッチをオン状態に切り換えたのち、例えば、図１２に示すようにＩＣカードＣをカード装填部４に装填する。この実施例においても、実施例１と同様に、顔写真１６をケース１の側面からはみ出させて、ＩＣカードＣの写真データの画像と、カード面に表示された顔写真１６とを左右並列に表示して真贋判定を行なえる。他は、先の実施例と同じであるので、同じ部材に同じ符号を付してその説明を省略する。以下の各実施例においても同様に、同じ部材に同じ符号を付してその説明を省略する。
【００５０】
以下の実施例３〜１１では、カード装填部４をスロット構造にする点が実施例１・２と異なる。
【００５１】
（実施例３）  図１３ないし図１５は本発明に係るＩＣカード用の携帯端末装置の実施例３を示す。そこでは、カード装填部４が、ＩＣカードＣを差し込み装填するためのスロット１８で構成してあり、スロット１８は液晶表示部３に臨むケース１の後面側に設けてある。スロット１８はケース１の右側面で開口するように構成してあり、その差し込み口を符号１９で示す。図１５に示すように、液晶表示部３とスロット１８との間には、ＩＣカードＣとの通信を確立するための携帯端末装置側のアンテナ１０が配置してある。
【００５２】
携帯端末装置を使用するときは、電源スイッチをオン状態に切り換えたのち、ＩＣカードＣを差し込み口１９からスロット１８内に差し込む。装填状態におけるＩＣカードＣの右半部側はケース１の外面にはみ出しており、はみ出し部分のカード面に表示された顔写真１６と、ＩＣカードＣから読み込んだ写真データの画像とを左右並列に表示して、真贋判定を行なうことができる。なお、スロット１８内に差し込まれたＩＣカードＣは、スロット１８の内周面との摩擦力によって、抜け出し不能に保持されているので、使用者が明確な意図を持って抜き出し操作しない限りは、ＩＣカードＣがカード装填部４から分離し、あるいはスロット１８内で移動することはない。
【００５３】
（実施例４）  図１６および図１７は実施例４に係る携帯端末装置を示す。そこでは、ケース１の上端部にＩＣカードを装填するためのカード装填部４を設けて、カード装填部４に装着したＩＣカードＣを斜めに支持できるようにした。そのために、ケース１の上部後面に膨出部２１を突設し、ケース１の上端面の中途部から膨出部２１の後ろ下隅へ向かってスロット１８を斜めに傾斜する状態で形成した。また、携帯端末装置側のアンテナ１０をスロット１８と平行になる状態で配置した。差し込み口１９はスロット１８の上端に開口してあり、スロット１８はその左右側面でも開口している。
【００５４】
上記のようにカード装填部４に装着したＩＣカードＣを斜めに支持すると、ＩＣカードＣの顔写真１６を携帯端末装置の使用者の側へ指向させて見やすくすることができる。また、ＩＣカードＣの顔写真１６が配置してある領域と、カード上縁側のカード表面とが同時にケース１２の外へはみ出るので、文字情報の一部を視認可能としてカード情報と照合することができる。ＩＣカードＣは、差し込み口１９の側からスロット内へ差し込み装填できるが、必要に応じてスロット１８の左右側面側の開口から抜き差ししてもよい。なお、ＩＣカードＣは、図１７に示すようにスロット１８に対して横長姿勢で装填する以外に、スロット１８に対して縦長姿勢で装填することができ、その場合にはスロット１８の左右両側面の開口は省略することができる。
【００５５】
（実施例５）  図１８および図１９は実施例５に係る携帯端末装置を示す。そこでは、実施例３と同様にカード装填部４を液晶表示部３の背部に配置するが、スロット１８をケース１の左右側面で開口させて、左右両側に差し込み口１９を開口し、カード装填部４に装着したＩＣカードＣの装着位置を左右方向へ変更できるようにした。この場合には、ＩＣカードＣを左右にスライド操作して、カード本体１３のはみ出し部分を右または左に変更することができる。具体的には、図１９（ａ）に示すようにＩＣカードＣの右端側がはみ出る状態では、顔写真１６を視認可能とし、図１９（ｂ）に示すようにＩＣカードＣの左端側がはみ出る状態では、カード本体１３に印刷した文字情報を視認可能とする。
【００５６】
カード本体１３のはみ出し部分が右または左であるかを検知するために、右側の差し込み口１９の内面に光センサー２０を配置している。図１９（ａ）のように光センサー２０の光路がカード本体１３遮られた場合には、カード本体１３の右端側がはみ出していると判定して、ＩＣカードＣの写真データの画像を液晶表示部３に表示する。また、図１９（ｂ）のように光センサー２０の光路が遮らていない場合には、カード本体１３の左端側がはみ出していると判定して、ＩＣカードＣの文字データの画像を液晶表示部３に表示する。ＩＣカードＣをカード装填部４から抜き取った状態では、携帯端末装置側のアンテナ１０とＩＣカードＣ側のアンテナ１５との間の通信が途絶するので、ＩＣカードＣがカード装填部４に装着されていない状態であると判定して、初期メニューを液晶表示部３に表示する。なお、実施例４で説明した携帯端末装置においても、同様にカード本体１３のはみ出し部分が右または左であるかを検知して、実行すべきプログラムを選択することができる。
【００５７】
（実施例６）  図２０および図２１に実施例６に係る携帯端末装置を示す。そこでは、実施例３と同様にカード装填部４を液晶表示部３の背部に配置し、スロット１８をケース１の右側面（一側面）と上面との２個所で開口して、差し込み口１９を２個所に形成した。このように、ケース１の直交する周側面の２個所に差し込み口１９を設けると、ＩＣカードＣのカード装填部４に対する装填姿勢を横長姿勢と縦長姿勢とに変更できる。具体的には、図２１（ａ）のように顔写真１６の上下縁がカード本体１３の長辺部と平行になる場合には、ＩＣカードＣを横長姿勢でカード装填部４に装着して、画像と顔写真とを左右並列に視認できる。また、図２１（ｂ）のように顔写真１６の上下縁がカード本体１３の短辺部と平行になる場合には、ＩＣカードＣを縦長姿勢でカード装填部４に装着して、画像と顔写真とを上下並列に視認することができる。したがって、いずれの場合にもカード本体１３に貼り付けられた顔写真１６の向きを、液晶表示部３に表示された画像の向きに一致させて、両者の照合を簡便にしかも的確に行なうことができる。
【００５８】
（実施例７）  図２２に実施例７に係る携帯端末装置を示す。そこでは、実施例３と同様にケース１の後面にカード装填部４を設ける。カード装填部４は、ケース１の右側面で開口するスロット１８と、スロット１８に臨む後壁に形成した開口２２と、この開口２２を塞ぐ透明の窓板２３とで構成する。開口２２の周囲はケース１の後壁で囲まれている。このように、スロット１８の後面（外面）を透明の窓板２３で覆うと、ＩＣカードＣをカード装填部４に差し込んだ状態において、スロット１８内に位置する顔写真１６を窓板２３を通して視認することができる。
【００５９】
この実施例においては、ケース１の前面および後面を交互に使用者と正対させて、液晶表示部３に表示された画像と、窓板２３と正対するカード面に表示された固有表示、即ち顔写真１６とを交互に視認して両者を照合することができる。また、装填状態において、顔写真１６と、ケース１からはみ出した部分のカード表面に表示された文字情報の大半を視認できるので、液晶表示部３の表示を切り換えるだけで、文字情報の照合と顔写真１６の照合とを連続して行なえる。
【００６０】
（実施例８）  図２３に実施例８に係る携帯端末装置を示す。そこでは、実施例３と同様にケース１の後面にカード装填部４を設ける。カード装填部４は、ケース１の右側面で開口するスロット１８と、スロット１８に装填されたＩＣカードＣのカード面に表示された固有表示を露出させる開口２５とで構成する。開口２５は、差し込み口１９からスロット１８の内奥にわたって形成してあり、その上下幅はＩＣカードＣの上下幅より小さく設定してある。カード装填部４のスロット１８の内周面には、ＩＣカードＣをガイドし、位置決めするガイド突起２６が一定間隔おきに突設してある。
【００６１】
この実施例によれば、ケース１の前面および後面を交互に使用者と正対させて、液晶表示部３に表示された画像と、開口２５から視認できるカード面に表示された固有表示、即ち顔写真１６とを交互に視認して両者を照合することができる。また、装填状態において、顔写真１６とカード表面に表示された文字情報の殆どを視認することができるので、液晶表示部３の表示を切り換えるだけで、文字情報の照合と顔写真１６の照合とをより確実に行なえる。
【００６２】
（実施例９）  図２４に実施例９に係る携帯端末装置を示す。そこでは、カード装填部４を独立した部品で構成し、これをケース１の上部後面に固定した。カード装填部４は、スロット１８を備えたプラスチック成形品からなる。アンテナ１０はスロット１８と平行になる状態でケース１の内部に配置してある。この実施例における液晶表示部３の画像と、ＩＣカードＣのはみ出し部分の固有表示との表示状態は、実施例１の表示状態と同じであり、画像と顔写真１６とを左右に並列する状態で表示できる。
【００６３】
（実施例１０）  図２５に実施例１０に係る携帯端末装置を示す。そこでは、カード装填部４を実施例９と同様に独立した部品で構成し、これをケース１の上部後面に固定した。カード装填部４は、装着座２７と装填ケース部２８とを一体に備えたプラスチック成形品からなり、装填ケース部２８にスロット１８とアンテナ１０とが設けてある。アンテナ１０はスロット１８と平行に配置する。実施例４の携帯端末装置と同様に、差し込み口１９はスロット１８の上部で開口しており、さらにスロット１８の左右両側でも開口している。この実施例における液晶表示部３の画像とＩＣカードＣのはみ出し部分の固有表示との表示状態は、実施例４２の表示状態と概ね同じであり、液晶表示部３の画面とＩＣカードＣの表面とが非平行な状態で並列的に表示される。
【００６４】
（実施例１１）  図２６に実施例１１に係る携帯端末装置を示す。そこでは、カード装填部４を実施例９と同様に独立した部品で構成して、これをケース１の上部後面に固定した。また、カード装填部４に液晶表示部３を設けて、実施例３の表示状態と同様に、液晶表示部３の画像と、ＩＣカードＣのはみ出し部分の固有表示とを左右に並列する状態で表示できるようにした。
【００６５】
上記の実施例以外に、カード装填部４はケース１の後面の任意の上下位置に設けることができる。カード装填部４は、カード保持爪５や、スロット１８で構成する必要はなく、要はカード本体１３の対向辺部や、周縁の複数箇所を保持できる構造であればよい。また、カード保持体５は、ゴムやエラストマーに代表される弾性片で構成することができる。液晶表示部３は、ケース１の上下方向の中途部や下部に配置することができる。
【符号の説明】
【００６６】
１  ケース
３  表示手段（液晶表示部）
４  カード装填部
５  カード保持爪
６  カード受面
１０  アンテナ
Ｃ  ＩＣカード
１３  カード本体
１５  アンテナ
１６  顔写真（固有表示）
【図１】
0005413910.tif 000002
【図２】
0005413910.tif 000003
【図３】
0005413910.tif 000004
【図４】
0005413910.tif 000005
【図５】
0005413910.tif 000006
【図６】
0005413910.tif 000007
【図７】
0005413910.tif 000008
【図８】
0005413910.tif 000009
【図９】
0005413910.tif 000010
【図１０】
0005413910.tif 000011
【図１１】
0005413910.tif 000012
【図１２】
0005413910.tif 000013
【図１３】
0005413910.tif 000014
【図１４】
0005413910.tif 000015
【図１５】
0005413910.tif 000016
【図１６】
0005413910.tif 000017
【図１７】
0005413910.tif 000018
【図１８】
0005413910.tif 000019
【図１９】
0005413910.tif 000020
【図２０】
0005413910.tif 000021
【図２１】
0005413910.tif 000022
【図２２】
0005413910.tif 000023
【図２３】
0005413910.tif 000024
【図２４】
0005413910.tif 000025
【図２５】
0005413910.tif 000026
【図２６】
0005413910.tif 000027